【事件の表示】
　平成　８年特許願第２５２５１９号「固体撮像装置」拒絶査定に対する審判事件［平成１０年　４月１４日出願公開、特開平１０−　９８６４８］について、次のとおり審決する。
【結　論】
　本件審判の請求は、成り立たない。
【理　由】
１．手続きの経緯・本願発明
　
　本願は、平成８年９月２５日の出願であって、その発明（以下「本願発明」という。）は、平成１１年２月１５日付けの手続補正書により補正された明細書及び図面の記載からみて、その特許請求の範囲に記載されたものであるところ、請求項１の記載は次のとおりのものである。
　
　「【請求項１】２次元的に配置された光電変換部と、前記光電変換部の両側に配置された第１および第２の垂直電荷転送部と、前記第１の垂直電荷転送部の一端に配置された第１の水平電荷転送部と、前記第１の水平電荷転送部と反対側の前記第２の垂直電荷転送部の一端に配置された第２の水平電荷転送部を有する固体撮像装置において、
前記第１および第２の垂直電荷転送部は、４つの電荷転送電極で繰り返し単位となる１段の垂直電荷転送部を構成し、前記１段の垂直電荷転送部は垂直方向に隣接する２つの光電変換部に対して構成され、前記１段の垂直電荷転送部の隣接した２つの電荷転送電極順序が前記光電変換部を挟んで反転して形成され、前記１段の垂直電荷転送部の任意の１電荷転送電極下に前記光電変換部からの信号読み出し領域が形成された構成を有し、奇数番目と偶数番目に配置された前記光電変換部から同時に信号を読み出し、前記第１の垂直電荷転送部に送られた信号は前記第１の水平電荷転送部へ送りだし、一方前記第２の垂直電荷転送部に送られた信号は前記第２の水平電荷転送部へ順次送りだすことを特徴とする固体撮像装置。」
　
２．引用例
　
　これに対して、原査定の拒絶理由で引用された特開平７−２６４４８７号公報（平成７年１０月１３日公開、以下「引用例」という。）には、名称を「固体撮像装置」とする発明について、図面と共に以下の事項が記載されている。
　
ａ．「縦方向に配置された感光画素１０１、１０２、１０３、１０４…を有する１列の感光画素列の左右両側には、それぞれ垂直転送ＣＣＤが隣接して配置されている。・・・（中略）・・・撮像面１３には、このような感光画素列とその左右に配置された２列の垂直転送ＣＣＤとの組み合わせが、横方向に複数組配置されている。また感光画素は、例えば縦方向に４８８個、横方向に７６８個配置してもよい。」（段落００２３）
　
ｂ．「各々の感光画素列において、奇数番目の感光画素１０１、１０３、…より発生した信号電荷は、例えば左側の垂直転送ＣＣＤに与えられた後、図中下方へ転送されていく。この垂直転送ＣＣＤにおいて、感光画素１０１及び１０２の左側面に第１の電極１１１、第２の電極１１２、第３の電極１１３、及び第４の電極１１４が１組みの転送電極として配置されており、４相の駆動電圧がそれぞれ独立して印加される。このように、左側の垂直転送ＣＣＤには４相の駆動電圧が印加される第１の電極〜第４の電極が１組みとして上方から下方へ向けて複数組配置されている。奇数番目の感光画素１０１から出力された信号電荷は、この転送電極１１１〜１１４に印加される４相の駆動電圧により順次下方へ転送される。
　感光画素列の右側に配置された垂直転送ＣＣＤにおいては、例えば感光画素１０２及び１０１の右側面に隣接して第１の電極１２１、第２の電極１２２、第３の電極１２３、及び第４の電極１２４が１組として配置されている。偶数番目の感光画素１０２、１０４、…から発生した信号電荷は、右側の垂直転送ＣＣＤに与えられて、図中上方へ向けて順次転送されていく。例えば、感光画素１０２から発生した信号電荷は、第１の転送電極１２１、第２の転送電極１２２、第３の転送電極１２３、及び第４の転送電極１２４にそれぞれ独立して印加される４相の駆動信号により上方へ転送されていく。」（段落００２６〜段落００２７）
　
ｃ．「このように、奇数番目の感光画素１０１、１０３、…から発生した信号電荷は左側の垂直転送ＣＣＤにより下方へ向けて転送されていく。そして、水平転送ＣＣＤ１４に信号電荷が順次与えられて図中左方向へ転送されていき、電荷電圧変換アンプ１５により電圧信号に変換された後、外部へ出力される。
　同時刻において、偶数番目の感光画素１０２、１０４、…から発生した信号電荷は右側の垂直転送ＣＣＤによって上方へ転送された後、水平転送ＣＣＤ１１により右方向へ転送され、電荷電圧変換アンプ１２により電圧信号に変換されて外部へ出力される。」（段落００２８〜段落００２９）
　
ｄ．「図３に、転送電極に接続される配線のうち１層目に形成される配線領域を示し、図４に２層目に形成される配線領域を示す。
　奇数番目の感光画素６０１の左側に、この感光画素６０１から発生した信号電荷を転送する第１の転送電極の配線領域４０１と第３の転送電極の配線領域４０３とが１層目に形成される。さらに、この感光画素６０１から発生した信号電荷を転送する第２の転送電極の配線領域４０２と第４の転送電極の配線領域４０４とが２層目に形成される。
　同様に、偶数番目の感光画素６０２の右側に、感光画素６０２から発生した信号電荷を転送する第１の転送電極の配線領域５０１と、第３の転送電極の配線領域５０３とが１層目に形成される。また感光画素６０２から発生した信号電荷を転送する第２の転送電極の配線領域５０２と、第４の転送電極の配線領域５０４とが２層目に形成される。
　ここで、奇数番目の感光画素６０１用の配線領域４０１〜４０４のうちの第３の転送電極の配線領域４０３と、偶数番目の感光画素６０２用の配線領域５０１〜５０４のうちの第３の転送電極の配線領域５０３との位置関係を見ると、感光画素６０１を中心として点対称に配置されている。同様に、奇数番目の感光画素６０１用の配線領域４０１〜４０４のうちの第２の転送電極の配線領域４０２と、偶数番目の感光画素６０２用の配線領域５０１〜５０４のうちの第２の転送電極の配線領域５０２とは、感光画素６０１を中心に点対称の関係にある。このように配線層を配置することで、面積効率を高めることができる。」（段落００３０〜段落００３３）
　
３．本願発明と引用例との対比
　
　引用例に記載された「感光画素」、「左側の垂直転送ＣＣＤ」、「右側の垂直転送ＣＣＤ」、「水平転送ＣＣＤ１４」、「水平転送ＣＣＤ１１」は、本願発明のそれぞれ「光電変換部」、「第１の垂直電荷転送部」、「第２の垂直電荷転送部」、「第１の水平電荷転送部」、「第２の水平電荷転送部」に相当し、また、引用例に記載された「第１の電極」「第２の電極」「第３の電極」「第４の電極」は、本願発明の「４つの電荷転送電極」に相当するから、上記ａ〜ｄの記載からみて、
　
　本願発明と引用例に記載された発明とは、
「２次元的に配置された光電変換部と、前記光電変換部の両側に配置された第１および第２の垂直電荷転送部と、前記第１の垂直電荷転送部の一端に配置された第１の水平電荷転送部と、前記第１の水平電荷転送部と反対側の前記第２の垂直電荷転送部の一端に配置された第２の水平電荷転送部を有する固体撮像装置において、
前記第１および第２の垂直電荷転送部は、４つの電荷転送電極で繰り返し単位となる１段の垂直電荷転送部を構成し、前記１段の垂直電荷転送部は垂直方向に隣接する２つの光電変換部に対して構成され、前記１段の垂直電荷転送部の隣接した２つの電荷転送電極順序が前記光電変換部を挟んで反転して形成され、
奇数番目と偶数番目に配置された前記光電変換部から同時に信号を読み出し、前記第１の垂直電荷転送部に送られた信号は前記第１の水平電荷転送部へ送りだし、一方前記第２の垂直電荷転送部に送られた信号は前記第２の水平電荷転送部へ順次送りだすことを特徴とする固体撮像装置。」
で一致し、
　
　本願発明に記載された「１段の垂直電荷転送部の任意の１電荷転送電極下に光電変換部からの信号の読み出し領域が形成された構成」が、引用例において直接の記載がない点で一応相違する。
　
４．当審における判断
　
　引用例記載の上記ｄには「感光画素６０１から発生した信号電荷を転送する第１の転送電極の配線領域４０１」、「感光画素６０２から発生した信号電荷を転送する第１の転送電極の配線領域５０１」と記載されており、上記ｂには「左側の垂直転送ＣＣＤには・・・（中略）・・・第１の電極〜第４の電極が１組みとして上方から下方へ向けて複数組配置されている。奇数番目の感光画素から出力された信号電荷は、・・・（中略）・・・順次下方へ転送される。」が記載されていることから、感光画素からの信号電荷を第１の転送電極の領域に転送して該第１の転送電極から第２・第３・第４の転送電極に順次転送する構成とすることは当業者であれば容易になし得ることであり、よって上記相違点「１段の垂直電荷転送部の任意の１電荷転送電極下に光電変換部からの信号の読み出し領域が形成された構成」とすることは、引用例の記載から当業者であれば容易になし得る程度の事項に過ぎない。
　なお、本願発明における効果「１段の垂直電荷転送部の任意の１電荷転送電極により光電変換部から信号を同時に読み出す」ことも、引用例記載の上記ｃに記載されており、この点においても格別の効果を見出すことはできない。
　
５．むすび
　
　したがって、本願の請求項１に係る発明は、引用例に記載された発明に基づいて当業者が容易に発明をすることができたものであるから、他の請求項２乃至３に係る発明について検討するまでもなく、本願は特許法第２９条第２項の規定により特許を受けることができない。
　
　よって、結論のとおり審決する。